(57)【特許請求の範囲】
【請求項１】
目地を介して隣接する建造物の各側縁に沿って配設される両側の連結基体と、鞘枠と、該鞘枠に左右摺動自在に嵌装される左右二本の摺動腕とからなり、目地と直交して差し渡されて、両摺動腕の端部を夫々両連結基体に枢支される基部ホルダーと、
目地の略中央で上下方向に配設され、前記基部ホルダーの鞘枠に背面が固定される中央カバー板と、
鞘枠と、該鞘枠に左右摺動自在に嵌装される左右二本の摺動腕とからなり、鞘枠を中央カバー板の背面に固定される中間ホルダーと、
前記中間ホルダーの両摺動腕に夫々外端が固定され、その内端部を前記中央カバー板上に重ね合わせて配設される左右一対の中間カバー板と、
前記両連結基体に夫々外端が固定され、その内端部を前記両中間カバー板上に夫々重ね合わせて配設される左右一対の端部カバー板と
を備え、
前記基部ホルダーと、中間ホルダーとは、
一端が開口した鞘枠と、その開口端から鞘枠内の摺動路に挿通される左右何れか一本の摺動腕と、前記鞘枠に外嵌して該鞘枠に対して摺動自在とした左右いずれか他方の摺動腕とからなるものであることを特徴とする外壁用目地カバー装置。
【発明の詳細な説明】
【０００１】
【産業上の利用分野】
本発明は、隣接する建造物の外壁間の目地を覆う目地カバー装置の改良に関する。
【０００２】
【従来の技術】
この種の目地カバー装置にあって、目地の中央に配設した中央のカバー板と、該カバー板に端部を重ね合わせて目地の側部に配設した左右のカバー板との三枚のカバー板によって目地を覆うようにしたものは公知である。
【０００３】
かかる目地カバー装置は、図６に示すように、隣接する建造物ｘ，ｘの壁面に夫々固定された固定体ａ，ａ’と、該両固定体ａ，ａ’に夫々左右方向に回動可能に嵌着された連結体ｂ，ｂ’と、一方の連結体ｂに固着されて目地方向に差し渡された摺動腕ｃと、他方の連結体ｂ’に固着されて目地方向に差し渡された支持腕ｄと、背面に固定された鞘枠ｅの摺動路ｆに前記摺動腕ｃが端部から摺動可能に嵌挿され、かつ、前記支持腕ｄにより背面を支持された中央カバー板ｇと、前記連結体ｂ，ｂ’に外端が固定され、その内端部を前記中央カバー板ｇ上に重ね合わせて配設した左右一対の端部カバー板ｈ，ｈ’とを備えている。
【０００４】
そして、建造物ｘ，ｘが左右方向（目地幅を変化させる方向）に相対変位した場合に、摺動腕ｃが中央カバー板ｇの背面に形成した摺動路ｆ内で移動し、摺動腕ｃが連結されている連結体ｂに支持された端部カバーｈが中央カバー板ｇに対して左右に移動する。また、中央カバー板ｇの他側端部においては、その背面が支持腕ｄに支持されているだけであるから、支持腕ｄが連結されている連結体ｂ’に支持された端部カバーｈ’に対して移動可能である。このため、摺動腕ｃと支持腕ｄとによってその背面を保持された中央カバー板ｇの左右で端部カバー板ｈ，ｈ’が、隣接する建造物ｘ，ｘの幅方向の相対変位に追従して、重ね合わせ状態を維持しながら左右方向に移動し、その相対変位を吸収することができるようになっている。
【０００５】
【発明が解決しようとする課題】
かかる構成の目地カバー装置にあっては、上述のように三枚のカバー板によって目地カバーを構成しているため、その追従性能に限界がある。即ち、中央カバー板ｇに対する各端部カバー板ｈ，ｈ’の左右方向の移動量は、図６に示す位置から夫々外方向に幅Ａの範囲となり、また、内方向には幅Ｂの範囲となる。このため、その移動許容量を越えて建造物が左右方向に大きく相対変位した場合に対応できず、目地カバー装置と建造物との固定部において建造物を損傷させたり、あるいは、目地カバー装置自体が損傷したりすることがあった。
【０００６】
また、かかる構成で左右方向の移動許容量を大きくしようとすると、目地カバー装置全体の横幅Ｗが大きくなってしまい、該目地カバー装置が目立って建造物の外観を損ねるという問題点があった。
【０００７】
本発明は、装置全体の横幅を変えることなく左右方向の移動許容量を大幅に拡大し得る目地カバー装置の提供を目的とするものである。
【０００８】
【課題を解決するための手段】
本発明は、
目地を介して隣接する建造物の各側縁に沿って配設される両側の連結基体と、  鞘枠と、該鞘枠に左右摺動自在に嵌装される左右二本の摺動腕とからなり、目地と直交して差し渡されて、両摺動腕の端部を夫々両連結基体に枢支される基部ホルダーと、
目地の略中央で上下方向に配設され、前記基部ホルダーの鞘枠に背面が固定される中央カバー板と、
鞘枠と、該鞘枠に左右摺動自在に嵌装される左右二本の摺動腕とからなり、鞘枠を中央カバー板の背面に固定される中間ホルダーと、
前記中間ホルダーの両摺動腕に夫々外端が固定され、その内端部を前記中央カバー板上に重ね合わせて配設される左右一対の中間カバー板と、
前記両連結基体に夫々外端が固定され、その内端部を前記両中間カバー板上に夫々重ね合わせて配設される左右一対の端部カバー板と
を備え、前記基部ホルダーと、中間ホルダーとは、一端が開口した鞘枠と、その開口端から鞘枠内の摺動路に挿通される左右何れか一本の摺動腕と、前記鞘枠に外嵌して該鞘枠に対して摺動自在とした左右いずれか他方の摺動腕とからなるものであることを特徴とする外壁用目地カバー装置である。
【０００９】
上述の構成にあって、前記基部ホルダーと、中間ホルダーとは、両端が開口した鞘枠内を区画して上下に摺動路を設け、一方の摺動路に左端から、他方の摺動路に右端から夫々摺動腕を挿入し、該摺動腕相互を上下にずらして左右への摺動可能に支持して構成するようにしても良い。
【００１１】
【作用】
建造物が左右方向に相対変位した場合に、基部ホルダーがその変位量に応じて伸縮し、該基部ホルダーに枢支された中央カバー板が目地の略中央位置に常時保持される。また、左右の連結基体に外端を夫々固定した端部カバー板が中間カバー板に対して内端部の重ね合わせ状態を維持しながら前記変位量に応じて左右方向に移動するとともに、中間ホルダーの摺動腕に外端を支持された中間カバー板が前記中央カバー板に対して内端部の重ね合わせ状態を維持しながら左右方向に移動する。そしてこのように、中央カバー板に対して中間カバー板が、また、中間カバー板に対して端部カバー板が夫々左右方向に移動して建造物の相対変位に追従することができるため、目地カバー装置の左右方向における大きな移動許容量が得られる。
【００１２】
【実施例】
本発明の一実施例を図１〜図４について説明する。
目地ｙを介して隣接する建造物ｘ，ｘの外壁面の各側縁位置に沿って上下に長い連結基体１，１が配設されている。この連結基体１，１は、Ｌ形辺部２が前方に突出され、該Ｌ形辺部２の基部側に内外方向へ、水平辺部３，４が夫々突成された上下方向に長い枠杆状をしている。さらには、その後端面からほぼ円形の突部５を後方へ突成している。
【００１３】
また前記建造物ｘ，ｘの側縁部には、断面略コ字状の支持体６，６が設けられ、その前面に、ほぼ円形の凹部８を突成する固定片７，７が固着され、前記突部５を凹部８に嵌入することにより、前記連結基体１，１を固定片７，７に対して左右方向への回動可能に支持している。この回動手段としては、支軸により連結したり、公知のヒンジ機構を用いるなど種々の構成が提案され得る。一方、前記固定片７，７の内端には、塩ビシート，可撓性ゴム板等からなる止水板３０の端縁を嵌着する咬着溝９，９が形成され、目地カバー装置の後方で目地ｙを覆う止水板３０の取付けを可能としている。そして該止水板３０によって目地ｙを覆い、該目地ｙへの雨水等の侵入を防止している。
【００１４】
前記連結基体１，１の水平辺部３，３には夫々基部ホルダー１０がその両端部を回動可能に枢着して連結される。
【００１５】
各基部ホルダー１０は、両端が開口した鞘枠１２と、その両開口端から鞘枠の摺動路１２ｕ，１２ｄに挿通される左右二本の摺動腕１３，１３とからなり、目地と直交して差し渡されて、両摺動腕１３，１３の端部を夫々両連結基体１，１の水平辺部３，３にピン１４により回動可能に枢支される。
【００１６】
ここで前記鞘枠１２は、その内部を区画して上下に摺動路１２ｕ，１２ｄを設け、一方の摺動路１２ｕに左端から摺動腕１３を、他方の摺動路１２ｄに右端から摺動腕１３を挿入し、該摺動腕１３，１３相互を上下にずらして左右への摺動可能に支持している。このため、摺動腕１３，１３は相互に干渉しないから、その重なり長さの分だけ前記鞘枠１２を短くでき、このため、基部ホルダー１０の単位長当たりの伸縮ストロークを長くすることが可能となり、構成の複雑化を招来することなく、本発明の目地カバー装置の幅方向の追従性能の向上に対応し得ることとなる。
【００１７】
この基部ホルダー１０の鞘枠１２の前面には中央カバー板１５がビスにより固着される。中央カバー板１５は、上下に長く形成され、目地ｙの略中央に配設されるものであって、両摺動腕１３，１３の端部を夫々両連結基体１，１に連結されて目地ｙに差し渡される基部ホルダー１０によって、目地ｙの略中央に常時位置するように支持される。
【００１８】
一方、中央カバー板１５の背面には、中間ホルダー１６が上下方向に適宜間隔で固定されている。この中間ホルダー１６は、両端が開口した鞘枠１７と、その両開口端から鞘枠の摺動路１７ｕ，１７ｄに挿通される左右二本の摺動腕１８，１８とからなり、目地と直交して差し渡される。この鞘枠１７も、その内部を区画して上下に摺動路１７ｕ，１７ｄを設け、各摺動路１７ｕ，１７ｄに摺動腕１８，１８を両端から挿入し、該摺動腕１８，１８相互を上下にずらして左右への摺動可能に支持し、摺動腕１８，１８を相互に干渉しないようにして、鞘枠１７の単位長当たりの伸縮ストロークを長くするようにしている。
【００１９】
この中間ホルダーの摺動腕１８，１８は中央カバー板１５の左右両側から夫々突出し、前方へ直角状に屈曲させた屈曲部の先端を中間カバー板１９Ｌ，１９Ｒとの連結部２０，２０としている。
【００２０】
前記中央カバー板１５の両側には、上下に長く形成した中間カバー板１９Ｌ，１９Ｒが左右一対で配設される。各中間カバー板１９Ｌ，１９Ｒは、その外端縁を前方へ直角屈曲してその屈曲縁２１，２１を前記連結部２０，２０に螺子固定することにより、各中間ホルダーの摺動腕１８，１８に支持される。また、その内端縁を後方へ直角屈曲し、その屈曲縁２２，２２を中央カバー板１５の前面に当接させ、内端部を該中央カバー板１５に重ね合わせて配設されている。
【００２１】
さらに、前記中間カバー板１９Ｌ，１９Ｒの外側には上下に長い端部カバー板２３Ｌ，２３Ｒが左右一対で配設される。各端部カバー板２３Ｌ，２３Ｒは、その外端縁２４，２４が前記連結基体１，１に螺子固定される一方、内端縁を後方に直角屈曲してその屈曲縁２５，２５を中間カバー板１９Ｌ，１９Ｒの前面に当接させ、内端部を該中間カバー板１９Ｌ，１９Ｒに重ね合わせて配設されている。
【００２２】
一方、前記中央カバー板１５の両端縁を前方へ直角屈曲して形成した屈曲縁２６，２６と、これに対向する中間カバー板１９Ｌ，１９Ｒの内側の屈曲縁２２，２２間には、複数のＶ形の板ばね２７が上下方向に適宜間隔で介装され、また、中間カバー板１９Ｌ，１９Ｒの外側の屈曲縁２１，２１と、これに対向する端部カバー板２３Ｌ，２３Ｒの内側の屈曲縁２５，２５間には、同様に複数のＶ形の板ばね２８が上下方向に適宜間隔で介装されている。そして、該板ばね２７，２８が両側で作用することによって、中間カバー板１９Ｌ，１９Ｒが遊動不能に位置保持されている。各板ばね２７はＶ形の中央部が夫々中央カバー板１５の屈曲縁２６，２６に螺子固定され、また、各板ばね２８はＶ形の中央部が夫々中間カバー板１９Ｌ，１９Ｒの屈曲縁２１，２１に螺子固定されている。
【００２３】
尚、前記板ばね２７、２８の固定手段は螺子固定に限定されず、溶接や、Ｖ形の中央部に設けた嵌着部を屈曲縁に嵌着して固定する構成等、種々の固定手段が適用され得る。
【００２４】
また、前記板ばね２７、２８は、中間カバー板１９Ｌ，１９Ｒの位置保持をするものであるが、これを省略しても、中央カバー板１５の両端の屈曲縁２６，２６と、中間カバー板１９Ｌ，１９Ｒの内側の屈曲縁２２，２２とが当接し、また、端部カバー板２３Ｌ，２３Ｒの内側の屈曲縁２５，２５と、中間カバー板１９Ｌ，１９Ｒの外側の屈曲縁２１，２１とが当接するために、各中間カバー板１９Ｌ，１９Ｒと、中央カバー板１５及び端部カバー板２３Ｌ，２３Ｒとの重ね合わせが解除されることはない。
【００２５】
その他、連結基体１，１の外側面と、建造物ｘ，ｘの外壁面との間には可撓性シール材２９が夫々埋め込まれる。
【００２６】
次にかかる構成からなる目地カバー装置の作用について説明する。
中央カバー板１５に対して中間カバー板１９Ｌ，１９Ｒは、図４で示すように、同図に示す標準位置から夫々外方向にＣ1 の範囲で移動可能であり、内方向にＣ2 の範囲で移動可能である。また、各中間カバー板１９Ｌ，１９Ｒに対して端部カバー板２３Ｌ，２３Ｒは夫々外方向にＤ1 の範囲で移動可能であり、内方向にＤ2 の範囲で移動可能である。従って、このＣ1 ，Ｃ2 ，Ｄ1 ，Ｄ2 の合計を二倍にした範囲が各カバー板によって得られる目地カバー装置の左右方向の移動許容量となる。
【００２７】
ここで、地震や暴風等によって建造物ｘ，ｘが左右方向（目地幅を変化させる方向）に相対変位した場合において、建造物ｘ，ｘの側縁位置に配設された連結基体１，１が左右方向に移動すると、該連結基体１，１に端部が連結された各基部ホルダー１０が伸縮し、各基部ホルダー１０の鞘枠１２に支持された中央カバー板１５が常時目地ｙの中央部に移動する。また、前記連結基体１，１に固定された端部カバー板２３Ｌ，２３Ｒが中間カバー板１９Ｌ，１９Ｒに対して左右に移動する。
【００２８】
図４に示す標準位置から建造物ｘ，ｘが目地幅を狭める方向に相対変位した場合には、端部カバー板２３Ｌ，２３Ｒは、理論上、連結基体１，１の内縁が夫々中間カバー板１９Ｌ，１９Ｒの外側の屈曲縁２１，２１に固定した中間ホルダー１６の摺動腕１８，１８の連結部２０，２０に当接するまで内方向に夫々移動し、次いで連結基体１，１の内縁に押されて中間カバー板１９Ｌ，１９Ｒが端部カバー板２３Ｌ，２３Ｒとともに中央カバー板１５に対して夫々内方向に移動する。また、このとき各中間カバー板１９Ｌ，１９Ｒを支持している中間ホルダーの摺動腕１８，１８は、鞘枠中間ホルダー１６の摺動路１７内を中間カバー板１９Ｌ，１９Ｒの移動に伴なって摺動する。そしてこのように、端部カバー板２３Ｌ，２３Ｒ及び中間カバー板１９Ｌ，１９Ｒが、夫々内方向に移動することにより、かかる方向の相対変位が吸収される。
【００２９】
また、逆に建造物ｘ，ｘが、図１に示す標準位置から目地幅を広げる方向に相対変位した場合には、連結基体１，１の外方向への移動に伴なって端部カバー板２３Ｌ，２３Ｒが中間カバー板１９Ｌ，１９Ｒに対して夫々外方向に移動し、該端部カバー板２３Ｌ，２３Ｒの内側の屈曲縁２５，２５が、中間カバー板１９Ｌ，１９Ｒの外側の屈曲縁２１，２１に当接すると、中間カバー板１９Ｌ，１９Ｒが端部カバー板２３Ｌ，２３Ｒに引っ張られて夫々外方向へ移動する。そしてこのように、端部カバー板２３Ｌ，２３Ｒ及び中間カバー板１９Ｌ，１９Ｒが、夫々外方向に移動することにより、かかる方向の相対変位が吸収される。
【００３０】
この作動にあって、前記基部ホルダー１０と、中間ホルダー１６とは、鞘枠１２，１７内を区画して上下に摺動路１２ｕ，１２ｄ，１７ｕ，１７ｄを設けて、左右の摺動腕１１，１８が鞘枠１２，１７内で干渉しないようにして、伸縮ストロークが長くなるようにしたから、建造物ｘ，ｘの移動許容量が大きくなっても、夫々の保持作用を無理なく行ない得ることとなる。
【００３１】
一方、建造物ｘ，ｘが前後方向に相対変位した場合には、突部５を凹部８に嵌入することにより、前記連結基体１，１を固定片７，７に対して左右方向への回動可能に支持しているから、かかる方向の相対変位が吸収される。
【００３２】
さらに、建造物ｘ，ｘが上下方向に相対変位した場合には、連結基体１，１に両端部が回動可能に連結された各基部ホルダー１０が、連結基体１，１の上下方向の相対移動に伴なって傾動して中央カバー板１５を支持し、該中央カバー板１５に支持された中間カバー板１９ａ，１９に対して端部カバー板２３Ｌ，２３Ｒが上下方向に移動することにより、その相対変位が吸収される。
【００３３】
而して、建造物ｘ，ｘが前後，左右及び上下の何れの方向に相対変位しても目地カバー装置が追従可能となる。
【００３４】
図５は、前記基部ホルダー１０と、中間ホルダー１６の他の構成を示すものである。
ここで鞘枠３０は、少なくとも一端が開口され、上下縁には摺動案内縁３１，３１が長手方向に沿って突成されている。そして該鞘枠３０の開口端からは、鞘枠３０内の摺動路に摺動腕３２が挿入される。さらには、鞘枠３０には、上下に摺動案内縁３１，３１に外嵌する摺動溝３４，３４が形成された摺動腕３３が嵌装される。これにより、摺動腕３３は鞘枠３０に対して摺動自在となる。かかる構成にあって、鞘枠３０に摺動案内縁３１，３１を省略し、摺動腕３３を前記鞘枠３０に対して外嵌する管状に形成してもよい。かかる構成にあって、前記摺動腕３２，３３の両端は、基部ホルダー１０として用いる場合には、両連結基体１，１に連結され、中間ホルダー１６として用いる場合には、中間カバー板１９Ｌ，１９Ｒと連結される。
かかる構成にあっても、左右の摺動腕３２，３３は鞘枠３０の内外に装着されて干渉せず、この為、伸縮ストロークが長くなる利点を備える。
【００３５】
【発明の効果】
本発明は上述のように、基部ホルダー１０によって目地ｙの中央部に支持された中央カバー板１５の両側部に内端部を重ね合わせて左右一対の中間カバー板１９Ｌ，１９Ｒを摺動可能に配設し、さらに両中間カバー板１９Ｌ，１９Ｒの各外側部に内端部を重ね合わせて左右一対の端部カバー板２３Ｌ，２３Ｒを摺動可能に配設したものであるから、従来構成の三枚のカバー板からなるものと比較して建造物ｘ，ｘが左右方向に大きく相対変位した場合にも追従可能となり、さらには目地カバー装置全体の横幅を変えずに左右方向の移動許容量を大幅に拡大し得ることとなる。
【００３６】
またこの作動にあって、左右の摺動腕３２，３３を鞘枠３０の内外に装着して相互に干渉しないようにしたから、伸縮ストロークが長くなり、このため建造物ｘ，ｘの移動許容量が大きくなっても、夫々の保持作用を無理なく行ない得ることとなる利点を備える。
【図面の簡単な説明】
【図１】本発明に係る外壁用目地カバー装置の横断平面図であり、左半分で中間ホルダー１６を示し、右半分で基部ホルダー１０を示す。
【図２】同上の分離斜視図である。
【図３】基部ホルダー１０と中間ホルダー１６の縦断正面図である。
【図４】各カバー板の移動許容量を示す概略図である。
【図５】基部ホルダー１０と中間ホルダー１６の他の構成を示す斜視図である。
【図６】従来構成の目地カバー装置を示す横断平面図である。
【符号の説明】
ｙ  目地
ｘ  建造物
１，１  連結基体
１０  基部ホルダー
１２  鞘枠
１２ｕ，１２ｄ  摺動路
１３，１３  摺動腕
１５  中央カバー板
１６  中間ホルダー
１７  鞘枠
１７ｕ，１７ｄ  摺動路
１８，１８  摺動腕
１９Ｌ，１９Ｒ  中間カバー板
２３Ｌ，２３Ｒ  端部カバー板
３０  鞘枠
３１，３１  摺動案内縁
３２，３３  摺動腕
【図１】
0003637544.tif 000002
【図２】
0003637544.tif 000003
【図３】
0003637544.tif 000004
【図４】
0003637544.tif 000005
【図５】
0003637544.tif 000006
【図６】
0003637544.tif 000007